(57)【要約】【課題】  ＡＳＥ光を用いてのシステム立ち上げを高品質に行う。【解決手段】  プリアンプ２１は、アンプ立ち上げモード時には、雑音光を受信してゲイン設定を行い、運用モード時には、光信号を受信して増幅する。可変分散補償器２２は、プリアンプ２１の前段に設けられ、光信号が光ファイバを伝播することにより生じる波長分散の分散補償を可変的に行う。スイッチ部２３は、雑音光が可変分散補償器２２を通過した場合に雑音光のレベルが所望レベルから変動してしまう場合には、スイッチ切り替え指示にもとづいて、アンプ立ち上げモードでは、雑音光は可変分散補償器２２へ入力せずにプリアンプ２１へ入力する回避ルートＲ１を選択し、運用モードでは、光信号は可変分散補償器２２に入力して分散補償された後にプリアンプ２１へ入力する通過ルートＲ２を選択するようにスイッチングを行う。【選択図】  図１
2006229698.tif 000002
【特許請求の範囲】
【請求項１】
光信号の伝送を行う光伝送システムにおいて、
アンプ立ち上げモードでは雑音光を光ファイバ上へ出力し、運用モードでは光信号を増幅して光ファイバ上へ出力するポストアンプと、前記ポストアンプの動作状態を監視制御信号により通知する動作状態通知部と、から構成される第１のノードと、
アンプ立ち上げモード時には、前記雑音光を受信してゲイン設定を行い、運用モード時には、前記光信号を受信して増幅するプリアンプと、前記プリアンプの前段に設けられ、前記光信号が光ファイバを伝播することにより生じる波長分散の分散補償を可変的に行う可変分散補償器と、前記雑音光が前記可変分散補償器を通過した場合に前記雑音光のレベルが所望レベルから変動してしまう場合には、スイッチ切り替え指示にもとづいて、アンプ立ち上げモードでは、前記雑音光は前記可変分散補償器へ入力せずに前記プリアンプへ入力する回避ルートを選択し、運用モードでは、前記光信号は前記可変分散補償器に入力して分散補償された後に前記プリアンプへ入力する通過ルートを選択するようにスイッチングを行うスイッチ部と、前記監視制御信号によりアンプ立ち上げモードを認識した際は、前記回避ルートを選択するための前記スイッチ切り替え指示を出力し、運用モード時には、前記通過ルートを選択するための前記スイッチ切り替え指示を出力するスイッチ制御部と、から構成される第２のノードと、
を有することを特徴とする光伝送システム。
【請求項２】
前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする請求項１記載の光伝送システム。
【請求項３】
光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側と出力側の光レベルを検出する光レベル検出部と、前記雑音光が前記可変分散補償器を通過した場合に前記雑音光のレベルが所望レベルから変動してしまう場合には、スイッチ切り替え指示にもとづいて、アンプ立ち上げモードでは、雑音光は前記可変分散補償器へ入力せずに前記プリアンプへ入力するルートを選択し、運用モードでは、光信号は前記可変分散補償器に入力して分散補償された後に前記プリアンプへ入力するルートを選択するようにスイッチングを行うスイッチ部と、前記ポストアンプから出力される１波の前記光信号及び前記雑音光のそれぞれの受信レベルを、前記光レベルから推定してしきい値を求め、前記しきい値にもとづいて、アンプ立ち上げモードまたは運用モードを認識して、各モードに対応する前記スイッチ切り替え指示を出力するスイッチ制御部と、から構成される第２のノードと、
を有することを特徴とする光伝送システム。
【請求項４】
前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする請求項３記載の光伝送システム。
【請求項５】
光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側で光スペクトルの検出を行うスペクトル検出部と、前記雑音光が前記可変分散補償器を通過した場合に前記雑音光のレベルが所望レベルから変動してしまう場合には、スイッチ切り替え信号にもとづいて、アンプ立ち上げモードでは、雑音光は前記可変分散補償器へ入力せずに前記プリアンプへ入力するルートを選択し、運用モードでは、光信号は前記可変分散補償器に入力して分散補償された後に前記プリアンプへ入力するルートを選択するようにスイッチングを行うスイッチ部と、前記光スペクトルにもとづき、アンプ立ち上げモードまたは運用モードを認識して、各モードに対応する前記スイッチ切り替え信号を出力するスイッチ制御部と、から構成される第２のノードと、
を有することを特徴とする光伝送システム。
【発明の詳細な説明】
【技術分野】
【０００１】
本発明は、光伝送システムに関し、特にＷＤＭ（Wavelength Division Multiplex）の光信号の伝送を行う光伝送システムに関する。
【背景技術】
【０００２】
近年、インターネットに代表されるブロードバンドサービスによる通信需要の増大に伴い、光通信ネットワークの長距離・大容量化が進展しており、４０Gbpsを超える高速大容量のＷＤＭ（波長の異なる光を多重して、１本の光ファイバで複数の信号を同時に伝送する波長多重伝送方式）の研究・開発が進んでいる。
【０００３】
一方、光ファイバによる光信号の伝送速度は、光の波長毎に異なるため、伝送距離が伸びるにつれ、光のパルス波形が鈍る波長分散が生じる。大容量・長距離の光伝送を実現するためのＷＤＭシステムで、波長分散によるパルス広がりが生じると、受信レベルを著しく劣化させてシステムに有害な影響を及ぼすことになる。
【０００４】
このため、光ファイバで発生した波長分散に対しては、符号が逆の同じ量だけの波長分散を加えて、波長分散を等価的にゼロに（キャンセル）する分散補償が行われる。分散補償を行う従来の代表的な方法に、分散補償ファイバ（ＤＣＦ：Dispersion Compensation Fiber）を中継区間毎に設けて、波長分散の変動を抑制するものがある。
【０００５】
図１２はＤＣＦによる分散補償を行うＷＤＭシステムの概念図である。ノード５０、６０は、光ファイバｆ１を介して接続する。また、ノード５０はポストアンプ５１を含み、ノード６０はプリアンプ６１、ＤＣＦ６２を含む。
【０００６】
なお、ポストアンプ（post amplifier）とは、ノード内部で処理した後のＷＤＭ信号を増幅するための光送信アンプのことであり、プリアンプ（pre amplifier）とは、前段ノードから送信されたＷＤＭ信号を受信して増幅するための光受信アンプのことである。
【０００７】
ノード５０内で処理されたＷＤＭ信号は、ポストアンプ５１によって増幅されて光ファイバｆ１へ送出される。光ファイバｆ１を流れてきたＷＤＭ信号は、ノード６０に到達すると、ＤＣＦ６２を通過し、プリアンプ６１で増幅された後にノード６０内で処理される。
【０００８】
光ファイバｆ１上を流れて波長分散値（＋Ｄ）を生じたＷＤＭ信号は、波長分散値（−Ｄ）を持つＤＣＦ６２を通過することで、波長分散がキャンセルされることになる。
ただし、上記のＤＣＦによる分散補償では、ノードの中継区間は一定ではなく（特に陸上の光通信ネットワーク）、中継区間毎に生じる波長分散値にもばらつきがあるので、これら波長分散値に対応するＤＣＦを中継区間毎に逐一設置しなければならない。
【０００９】
また、波長分散値には温度依存性があるので、昼夜及び季節の温度変動により波長分散値も変動してしまい、４０Gbpsを超えるＷＤＭシステムにおいては、ＤＣＦのような固定分散値のみで、精度の高い分散補償を行うことは困難であった。
【００１０】
一方、近年になって、ＶＩＰＡ（Virtually Imaged Phased Array）と呼ばれる可変分散補償器が開発されている。ＶＩＰＡは、ガラスプレートなどの薄板の両面に反射膜をコーティングした波長分散素子（ＶＩＰＡ板）と、反射ミラーとを有したデバイスであり、ＷＤＭ信号の全波長帯の分散補償を可能とする光学デバイスである。
【００１１】
図１３はＶＩＰＡによる分散補償を行うＷＤＭシステムの概念図である。ノード５０、７０は、光ファイバｆ２を介して接続する。また、ノード７０は、プリアンプ７１、ＶＩＰＡ７２を含む。
【００１２】
このようなシステムにおいて、ノード５０から流れてきたＷＤＭ信号は、ＶＩＰＡ７２によって、波長毎に分散補償される。また、ＶＩＰＡ７２では、温度変動のような光ファイバの経時変動に追随しながら分散補償量を最適に設定することができるという特徴を有する。
【００１３】
このように、ＶＩＰＡは、ＤＣＦのような固定分散補償とは異なり、可変的にＷＤＭ信号の全波長に渡って一括して分散補償を実現できるということから、ＶＩＰＡによる自動分散補償技術を用いたＷＤＭシステムの構築が大きく期待されている。
【００１４】
光ファイバを伝播することにより生じる波長分散の分散補償技術として、ＶＩＰＡを用いた分散補償が提案されている（例えば、特許文献１）。
【特許文献１】特表２０−１００−５１１６５５号公報（第２９頁〜第３２頁，第１４図）
【発明の開示】
【発明が解決しようとする課題】
【００１５】
ＷＤＭシステムでは、システムの初期運用時に、プリアンプのゲイン設定を行う必要があり、この場合、ゲイン設定に必要な光レベルを持った何らかの入力光をプリアンプに入力してやらなければならない。
【００１６】
通常は、前段ノード内に位置するポストアンプから出力された、ＷＤＭ信号の１波相当の光レベルを持つＡＳＥ（Amplified Spontaneous Emission）光をプリアンプに入力することで、ゲイン設定を行っている。
【００１７】
ここで、ポストアンプやプリアンプなどの光アンプは、一般的にはＥＤＦＡ（Erbium-Doped Fiber Amplifier）で構成される光アンプである。ＥＤＦＡは、エルビウム（Ｅｒ3+）添加ファイバ（ＥＤＦ：Erbium-Doped Fiber）を増幅用媒体とした光増幅器であり、励起光をＥＤＦに照射して光信号を進行させ、そのとき生じる誘導放出によって、光信号のレベルを増幅させる。
【００１８】
ＥＤＦＡのような誘導放出が増幅原理となっている光アンプでは、その光アンプへの入力光の存在の有無に関わらず、自然放出といった現象が生じる。この現象によって光アンプから漏れ出した光は雑音光となり、この雑音光がＡＳＥ光である。
【００１９】
また、このＡＳＥ光の光レベルは、ユーザによって調整が可能である。したがって、ＷＤＭ信号の１波相当の光レベルを持つように、ポストアンプにあらかじめ調整を施しておけば、システムの初期運用時には、ポストアンプから自ずとプリアンプの立ち上げに必要な所望レベルのＡＳＥ光が放出されることになる。
【００２０】
図１４はＷＤＭ信号の１波の光レベル及びＡＳＥ光レベルを示す図である。縦軸は光レベル、横軸は波長である。ＡＳＥ光８２は、ＷＤＭ信号の全波長の帯域幅でＷＤＭ信号の１波相当の光レベルを有している（ＡＳＥ光８２と１波のＷＤＭ信号８１との面積は互いに等しい）。プリアンプは、このようなＡＳＥ光８２を受信することでゲイン設定を自動的に行う。
【００２１】
ここで、図１２で上述したようなＤＣＦを用いたＷＤＭシステムでは、ＡＳＥ光８２がＤＣＦ６２を通過しても、ＡＳＥ光８２のレベルは変化しないので、プリアンプ６１のゲイン設定は正常に行うことが可能である。
【００２２】
しかし、図１３で上述のＶＩＰＡ７２のような可変分散補償器を使用したＷＤＭシステムでは、プリアンプ７１前段に配置されているＶＩＰＡ７２にＡＳＥ光８２が入力すると、ＡＳＥ光８２の光レベルが低下し、ＷＤＭ信号の１波相当の光レベルとは異なるレベル値になってしまい、プリアンプ７１のゲイン設定を正常に行うことができないといった問題があった。
【００２３】
図１５はＶＩＰＡ通過後のＡＳＥ光のレベルを示す概念図である。縦軸は光レベル、横軸は波長である。ＶＩＰＡ７２にＡＳＥ光８２を入力し、ＶＩＰＡ７２出力後の波形を観測すると、図に示すような櫛形波形のＡＳＥ光８３が観測される。
【００２４】
ＡＳＥ光８２と比べると、光レベルは低下していることがわかる（ＡＳＥ光８３の面積の方が削れている分小さい）。このようなＡＳＥ光８３がプリアンプに入力しても、ＷＤＭ信号の１波相当の光レベルを要求するプリアンプでは、ゲイン設定を正確に行うことができず、ＷＤＭシステムの品質を低下させるといった問題があった。
【００２５】
なお、ＡＳＥ光の光レベルが変動してしまうデバイスとしては、上記の例ではＶＩＰＡを挙げたがＶＩＰＡに限るものではなく、波長周期特性のフィルタ機能を有するデバイスにＡＳＥ光を通すと、ＡＳＥ光の光レベルは図１５のように変動することになる（帯域の広い光（白色光）が入射すると、出射光が、λ１、λ２、λ３・・・と順に透過出力するような波長周期性が現れる現象を波長周期特性と呼び、ＶＩＰＡやエタロンなどの光学デバイスは、このような波長周期特性のフィルタ機能の特徴を持つ）。
【００２６】
本発明はこのような点に鑑みてなされたものであり、プリアンプのゲイン設定に悪影響を及ぼさずに、ＡＳＥ光を用いてのシステム立ち上げを高品質に行う光伝送システムを提供することを目的とする。
【課題を解決するための手段】
【００２７】
本発明では上記課題を解決するために、図１に示すような、光信号の伝送を行う光伝送システム１−１において、アンプ立ち上げモードでは雑音光を光ファイバＦ上へ出力し、運用モードでは光信号を増幅して光ファイバＦ上へ出力するポストアンプ１１と、ポストアンプ１１の動作状態を監視制御信号により通知する動作状態通知部１２と、から構成される第１のノード１０−１と、アンプ立ち上げモード時には、雑音光を受信してゲイン設定を行い、運用モード時には、光信号を受信して増幅するプリアンプ２１と、プリアンプ２１の前段に設けられ、光信号が光ファイバＦを伝播することにより生じる波長分散の分散補償を可変的に行う可変分散補償器２２と、雑音光が可変分散補償器２２を通過した場合に雑音光のレベルが所望レベルから変動してしまう場合には、スイッチ切り替え指示にもとづいて、アンプ立ち上げモードでは、雑音光は可変分散補償器２２へ入力せずにプリアンプ２１へ入力する回避ルートＲ１を選択し、運用モードでは、光信号は可変分散補償器２２に入力して分散補償された後にプリアンプ２１へ入力する通過ルートＲ２を選択するようにスイッチングを行うスイッチ部２３と、監視制御信号によりアンプ立ち上げモードを認識した際は、回避ルートＲ１を選択するためのスイッチ切り替え指示を出力し、運用モード時には、通過ルートＲ２を選択するためのスイッチ切り替え指示を出力するスイッチ制御部２４ａと、から構成される第２のノード２０−１と、を有することを特徴とする光伝送システム１−１が提供される。
【００２８】
ここで、ポストアンプ１１は、アンプ立ち上げモードでは雑音光を光ファイバＦ上へ出力し、運用モードでは光信号を増幅して光ファイバＦ上へ出力する。動作状態通知部１２は、ポストアンプ１１の動作状態を監視制御信号により通知する。プリアンプ２１は、アンプ立ち上げモード時には、雑音光を受信してゲイン設定を行い、運用モード時には、光信号を受信して増幅する。可変分散補償器２２は、プリアンプ２１の前段に設けられ、光信号が光ファイバＦを伝播することにより生じる波長分散の分散補償を可変的に行う。スイッチ部２３は、雑音光が可変分散補償器２２を通過した場合に雑音光のレベルが所望レベルから変動してしまう場合には、スイッチ切り替え指示にもとづいて、アンプ立ち上げモードでは、雑音光は可変分散補償器２２へ入力せずにプリアンプ２１へ入力する回避ルートＲ１を選択し、運用モードでは、光信号は可変分散補償器２２に入力して分散補償された後にプリアンプ２１へ入力する通過ルートＲ２を選択するようにスイッチングを行う。スイッチ制御部２４ａは、監視制御信号によりアンプ立ち上げモードを認識した際は、回避ルートＲ１を選択するためのスイッチ切り替え指示を出力し、運用モード時には、通過ルートＲ２を選択するためのスイッチ切り替え指示を出力する。
【発明の効果】
【００２９】
本発明の光伝送システムは、アンプ立ち上げモードでは、雑音光は可変分散補償器へ入力せずにプリアンプへ入力する回避ルートを選択し、運用モードでは、光信号は可変分散補償器に入力して分散補償された後にプリアンプへ入力する通過ルートを選択するスイッチ制御を行う構成とした。これにより、アンプ立ち上げモード時では、プリアンプのゲイン設定に悪影響を及ぼさずに、雑音光を用いてのシステム立ち上げを高品質に行うことが可能となり、また運用モード時では、可変分散補償器を用いた高精度の分散補償を行って光伝送を行うことが可能になる。
【発明を実施するための最良の形態】
【００３０】
以下、本発明の実施の形態を図面を参照して説明する。図１は光伝送システムの原理図である。第１の実施の形態の光伝送システム１−１は、第１のノード（ノード１０−１）と、第２のノード（ノード２０−１）が光ファイバＦによって接続されてＷＤＭ光伝送を行うシステムである。
【００３１】
ノード１０−１は、ポストアンプ１１と動作状態通知部１２から構成される。ポストアンプ１１は、アンプ立ち上げモード（ノード２０−１内のプリアンプ２１の立ち上げモード）では雑音光（以下、ＡＳＥ光と呼ぶ）を光ファイバＦ上へ出力し、運用モードでは、ノード１０−１内で処理された光信号（以下、ＷＤＭ信号と呼ぶ）を増幅して光ファイバＦ上へ出力する。
【００３２】
動作状態通知部１２は、ポストアンプ１１の動作状態を監視制御信号により通知する。なお、監視制御信号とは、具体的にはＯＳＣ（Optical Supervisory Channel）信号のことである。ＯＳＣ信号は、ＷＤＭシステムの運用設定、状態監視及び伝送路障害検出などに使用され、光アンプを通さずに伝送される光制御信号である。以下、監視制御信号をＯＳＣ信号と呼ぶ。
【００３３】
ノード２０−１は、プリアンプ２１、可変分散補償器２２、スイッチ部２３、スイッチ制御部２４ａから構成される。プリアンプ２１は、アンプ立ち上げモード時には、ＡＳＥ光を受信してゲイン設定を行い、運用モード時には、ＷＤＭ信号を受信して増幅し、ノード２０−１内部の処理部（図示せず）へ出力する。
【００３４】
可変分散補償器２２は、プリアンプ２１の前段に設けられ、ＷＤＭ信号が光ファイバＦを伝播することにより生じる波長分散の分散補償を可変的に行う。可変分散補償器２２は、図１３で上述したＶＩＰＡを使用するものとして、以下、可変分散補償器２２をＶＩＰＡ２２と呼ぶ。
【００３５】
スイッチ部２３は、ＡＳＥ光がＶＩＰＡ２２を通過した際に、ＡＳＥ光のレベルがプリアンプ２１の立ち上げに必要な所望レベルから変動してしまう場合には（図１５のＡＳＥ光８２→ＡＳＥ光８３へと変動する場合）、スイッチ切り替え指示にもとづいて、アンプ立ち上げモードでは、ＡＳＥ光はＶＩＰＡ２２へ入力せずにプリアンプ２１へ入力する回避ルートＲ１を選択するスイッチングを行う。また、運用モードでは、ＷＤＭ信号はＶＩＰＡ２２に入力して分散補償された後にプリアンプ２１へ入力する通過ルートＲ２を選択するようにスイッチングを行う。
【００３６】
スイッチ制御部２４ａは、ＯＳＣ信号によりアンプ立ち上げモードを認識した際は、回避ルートＲ１を選択するためのスイッチ切り替え指示を出力する。また、運用モード時には、通過ルートＲ２を選択するためのスイッチ切り替え指示を出力する。
【００３７】
ここで、ＷＤＭの光増幅の特徴として、ポストアンプ１１とプリアンプ２１におけるＡＬＣ（Automatic Level Control）モードとＡＧＣ（Automatic Gain Control）モードについて説明する。
【００３８】
ＡＬＣは、光アンプの出力レベルを、入力が変動した場合でも一定にする制御である。具体的には、多重波長数をｎ、一波あたりの目標出力レベルをＰｎとした場合に、光アンプへの光入力レベルによらず、光アンプのトータル出力Ｐｔが一定（＝Ｐｎ×ｎ）になるように、光アンプのゲイン（光入力レベルと光出力レベルの比）を設定する。
【００３９】
ＡＧＣは、光アンプのゲインを一定に保つ制御である。したがって、ＡＧＣモードのときには、光アンプの入力レベルが変動した場合、ゲインが一定となるように制御されているために、出力レベルは入力レベルに追随して変動することになる。ＷＤＭ伝送では、このようなＡＬＣモードとＡＧＣモードとを併用することで円滑な光増幅制御を行っている。
【００４０】
通常、プリアンプ２１は、ＡＬＣとＡＧＣの両方の機能を有し、ポストアンプ１１は、ＡＧＣ機能のみ有する。また、プリアンプ２１では、システム立ち上げまたはアンプ立ち上げなどの初期設定時には、ＡＬＣモードから開始してゲインを設定し、その後にＡＧＣモードに遷移して（ゲイン設定後にＡＧＣへ遷移）、運用状態となる。ポストアンプ１１は、初期設定時（アンプ立ち上げモード時）にはＡＳＥ光を出力し、運用時にＡＧＣモードに切り替わる（ポストアンプ１１のゲインはあらかじめ設定されている）。
【００４１】
次にスイッチ制御に関連した周辺の構成と、アンプ立ち上げモード及び運用モードでのスイッチング動作について図２〜図４を用いて説明する。なお、以降ではアンプ立ち上げモードをＡＳＥモードと呼ぶ。
【００４２】
図２はスイッチ切り替えに関連する構成要素を示す図である。ノード１０−１は、ポストアンプ１１、制御部１２０−１（動作状態通知部１２を含む）、カプラＣ１を含む。ノード２０−１は、プリアンプ２１、ＶＩＰＡ２２、光スイッチ２３ａ、２３ｂ（スイッチ部２３に該当）、スイッチ制御部２４ａ、ＶＡＴＴ（可変光減衰器）２５、制御部２６０−１を含む。
【００４３】
ここで、カプラＣ１は、ポストアンプ１１からの出力信号と、制御部１２０−１から出力されたＯＳＣ信号とを合波して光ファイバＦ上へ送出する。カプラＣ２は、ＯＳＣ信号をラインＬ１へ、ＯＳＣ信号以外の信号（ＡＳＥ光やＷＤＭ信号）をラインＬ２へ分波する。カプラＣ３は、ラインＬ１上を流れてきたＯＳＣ信号を制御部２６０−１へ、光スイッチ２３ｂから出力された信号をプリアンプ２１へ分波する（カプラＣ２、Ｃ３は、光スイッチ２３ａ、２３ｂのスイッチング動作に関係なく、常にノード１０−１からのＯＳＣ信号を受信できるように設けられている）。
【００４４】
また、回避ルートＲ１側には、ＶＡＴＴ２５を挿入している。ＶＡＴＴ２５を挿入する理由について説明すると、ＷＤＭ信号として、複数の波長が多重されずに１波の光信号のみがノード１０−１から送信されてもよく、この場合の光信号のレベルを、プリアンプ２１ではゲイン設定に必要なレベルと本来は認識するのだが、実際にはＷＤＭの全帯域に渡ったＡＳＥ光のレベルを、擬似的なＷＤＭ信号の１波相当の光信号レベルとみなすことで、ＷＤＭ信号が出力される前の初期設定時における立ち上げを行っている。
【００４５】
一方、ＶＩＰＡ２２は製品によって光損失量に個体差があり、またＶＩＰＡ２２の透過波長によっても光損失量に差があるので、ＶＩＰＡ２２を１波の光信号が通過したときの光損失量は、使用するＶＩＰＡ２２毎に異なることになる。よって、プリアンプ２１においても、ゲイン設定に必要な１波相当の光レベルに違いが生じることになる。
【００４６】
したがって、ＡＳＥ光が流れる回避ルートＲ１上にＶＡＴＴ２５を設置して、使用するＶＩＰＡ２２で生じる光損失量をＶＡＴＴ２５に設定しておけば、ＶＩＰＡ２２による光損失量のばらつきを吸収することが可能であり、１波の光信号が通過ルートＲ２を流れたときのプリアンプ２１の受信レベルと、ＡＳＥ光が回避ルートＲ１を流れたときのプリアンプ２１の受信レベルとを等しくさせることができる。
【００４７】
図３はＡＳＥモードのときの動作を示すシーケンス図である。
〔Ｓ１ａ〕ノード１０−１の制御部１２０−１は、ポストアンプ１１の動作状態からＡＳＥモードを認識すると、その旨を含むＯＳＣ信号を生成して、カプラＣ１を介して出力する。
【００４８】
〔Ｓ２ａ〕ノード２０−１に到達したＯＳＣ信号は、カプラＣ２でラインＬ１を流れ、カプラＣ３により制御部２６０−１へ送信される。制御部２６０−１は、ＯＳＣ信号の内容をスイッチ制御部２４ａへ通知する。
【００４９】
〔Ｓ３ａ〕スイッチ制御部２４ａは、ＡＳＥモードであることを認識すると、回避ルートＲ１が選択されるようなスイッチ切り替え指示を光スイッチ２３ａ、２３ｂへ出力する。
【００５０】
〔Ｓ４ａ〕ポストアンプ１１からは、ＷＤＭ信号の１波相当の光レベルを持つＡＳＥ光が出力される。
〔Ｓ５ａ〕ノード２０−１に到達したＡＳＥ光は、光スイッチ２３ａ→ＶＡＴＴ２５→光スイッチ２３ｂの回避ルートＲ１を通り、カプラＣ３を介してプリアンプ２１に入力する。そして、プリアンプ２１では、ＡＳＥ光を利用してゲイン設定を行う。
【００５１】
図４は運用モードのときの動作を示すシーケンス図である。
〔Ｓ１ｂ〕スイッチ制御部２４ａは、プリアンプ２１の運用モードを認識する（具体的には、図８で後述するように、ＡＳＥ光の出力安定中止通知から運用モードが認識される）。
【００５２】
〔Ｓ２ｂ〕スイッチ制御部２４ａは、通過ルートＲ２が選択されるためのスイッチ切り替え指示を光スイッチ２３ａ、２３ｂへ出力する。
〔Ｓ３ｂ〕ポストアンプ１１からは、ＷＤＭ信号が出力される。
【００５３】
〔Ｓ４ｂ〕ノード２０−１に到達したＷＤＭ信号は、光スイッチ２３ａ→ＶＩＰＡ２２→光スイッチ２３ｂの通過ルートＲ２を通り、カプラＣ３を介してプリアンプ２１に入力する。そして、プリアンプ２１では、ＶＩＰＡ２２で分散補償された後のＷＤＭ信号を増幅し、ノード２０−１内部の処理部へ出力する。
【００５４】
次に上り／下りを合わせた光伝送システム１の構成及び動作について説明する。図５、図６は光伝送システム１−１の構成を示す図である。上り／下りの両方のノード構成を示している。
【００５５】
ノード１０−１に対し、光ファイバＦ１を通じてノード２０−１へ光送信を行う際に関連する構成要素としては、ポストアンプ１１−１、ポストアンプ制御部１２ａ−１、カプラＣ１、ＷＤＭシャッタ１３−１が含まれる。また、光ファイバＦ２を通じてノード２０−１から光受信を行う際に関連する構成要素としては、カプラＣ５、光スイッチ２３ａ−２、２３ｂ−２、ＶＩＰＡ２２−２、ＶＡＴＴ２５−２、カプラＣ６、スイッチ制御部２４ａ−２、プリアンプ２１−２、プリアンプ制御部２６ａ−２が含まれる。さらに、ＯＳＣ部１２ｂは、光ファイバＦ１、Ｆ２の両方の伝送に関連したＯＳＣ信号の送受信を行う構成要素である（ポストアンプ制御部１２ａ−１とＯＳＣ部１２ｂは、図２の制御部１２０−１に該当する）。
【００５６】
ノード２０−１に対し、光ファイバＦ１を通じてノード１０−１から光受信を行う際に関連する構成要素としては、カプラＣ２、光スイッチ２３ａ−１、２３ｂ−１、ＶＩＰＡ２２−１、ＶＡＴＴ２５−１、カプラＣ３、スイッチ制御部２４ａ−１、プリアンプ２１−１、プリアンプ制御部２６ａ−１が含まれる。また、光ファイバＦ２を通じてノード１０−１へ光送信を行う際に関連する構成要素としては、ポストアンプ１１−２、ポストアンプ制御部１２ａ−２、カプラＣ４、ＷＤＭシャッタ１３−２が含まれる。さらに、ＯＳＣ部２６ｂは、光ファイバＦ１、Ｆ２の両方の伝送に関連したＯＳＣ信号の送受信を行う構成要素である（プリアンプ制御部２６ａ−１とＯＳＣ部２６ｂは、図２の制御部２６０−１に該当する）。
【００５７】
なお、上記のＷＤＭシャッタ１３−１、１３−２は、ＷＤＭ信号をポストアンプ１１−１、１１−２から出力する場合にはシャッタは開いた状態となり、ＡＳＥ光を出力する場合にはシャッタは閉じた状態となる。
【００５８】
次に動作について説明する。上り／下りは同じ動作なので、ノード１０−１→ノード２０−１方向の動作についてのみ説明する。図７、図８は光伝送システム１−１の動作を示すシーケンス図である。
【００５９】
〔Ｓ１１〕ノード２０−１内のプリアンプ制御部２６ａ−１より、ＯＳＣ部２６ｂに対してＡＳＥ出力要求を送信する。
〔Ｓ１２〕ＯＳＣ部２６ｂより、ノード１０−１内のＯＳＣ部１２ｂに対してＡＳＥ出力要求を送信する。ＡＳＥ出力要求の旨を含むＯＳＣ信号の流れは、ＯＳＣ部２６ｂ→カプラＣ４→ＷＤＭシャッタ１３−２→光ファイバＦ２→カプラＣ５→カプラＣ６→ＯＳＣ部１２ｂである。
【００６０】
〔Ｓ１３〕ＯＳＣ部１２ｂより、ポストアンプ制御部１２ａ−１に対してＡＳＥ出力要求を送信する。
〔Ｓ１４〕ポストアンプ制御部１２ａ−１より、ＷＤＭシャッタ１３−１に対してシャッタを閉じるように制御する。
【００６１】
〔Ｓ１５〕ポストアンプ制御部１２ａ−１より、ポストアンプ１１−１に対してＡＳＥモードへ遷移するために必要な設定を施し、ポストアンプ１１−１はＡＳＥモードへ遷移する。
【００６２】
〔Ｓ１６〕ポストアンプ１１−１より、ポストアンプ制御部１２ａ−１に対してＡＳＥ出力安定通知を送信する。
〔Ｓ１７〕ポストアンプ制御部１２ａ−１より、ＯＳＣ部１２ｂに対してＡＳＥ出力安定通知を送信する。
【００６３】
〔Ｓ１８〕ＯＳＣ部１２ｂは、ノード２０−１内のＯＳＣ部２６ｂに対してＡＳＥ出力安定通知を送信する。ＡＳＥ出力安定の旨を含むＯＳＣ信号の流れは、ＯＳＣ部１２ｂ→カプラＣ１→ＷＤＭシャッタ１３−１→光ファイバＦ１→カプラＣ２→カプラＣ３→ＯＳＣ部２６ｂである。
【００６４】
〔Ｓ１９〕ＯＳＣ部２６ｂは、スイッチ制御部２４ａ−１に対してＡＳＥ出力安定通知を送信する。
〔Ｓ２０〕スイッチ制御部２４ａ−１より、光スイッチ２３ａ−１、２３ｂ−１に対して回避ルートＲ１となるようなスイッチ切り替え指示を出力する。
【００６５】
〔Ｓ２１〕ＯＳＣ部２６ｂは、ＡＳＥ出力安定通知をプリアンプ制御部２６ａ−１へ送信する。
〔Ｓ２２〕プリアンプ制御部２６ａ−１は、ＡＳＥ出力安定通知をプリアンプ２１−１へ送信する。
【００６６】
〔Ｓ２３〕プリアンプ２１−１は、受信するＡＳＥ光によってゲイン設定を行う。
〔Ｓ２４〕ゲイン設定後、プリアンプ２１−１は、プリアンプ制御部２６ａ−１に対してＡＳＥ出力要求中止を送信する。
【００６７】
〔Ｓ２５〕プリアンプ制御部２６ａ−１は、ＯＳＣ部２６ｂに対してＡＳＥ出力要求中止を送信する。
〔Ｓ２６〕ＯＳＣ部２６ｂは、ノード１０−１内のＯＳＣ部１２ｂに対してＡＳＥ出力要求中止通知を送信する。ＡＳＥ出力要求中止の旨を含むＯＳＣ信号の流れは、ＯＳＣ部２６ｂ→カプラＣ４→ＷＤＭシャッタ１３−２→光ファイバＦ２→カプラＣ５→カプラＣ６→ＯＳＣ部１２ｂである。
【００６８】
〔Ｓ２７〕ＯＳＣ部１２ｂは、ポストアンプ制御部１２ａ−１に対してＡＳＥ出力要求中止を送信する。
〔Ｓ２８〕ポストアンプ制御部１２ａ−１は、ポストアンプ１１−１に対してＡＳＥ出力要求中止を送信し、ＡＳＥ光の出力を停止させる。
【００６９】
〔Ｓ２９〕ポストアンプ制御部１２ａ−１より、ポストアンプ１１−１に対してＡＧＣモードへ遷移するために必要な設定を施して、ポストアンプ１１−１はＡＧＣモードへ遷移する。
【００７０】
〔Ｓ３０〕ポストアンプ制御部１２ａ−１は、ポストアンプ１１−１のＡＧＣモード遷移後、ＷＤＭシャッタ１３−１に対してシャッタを開くように制御する。
〔Ｓ３１〕ポストアンプ１１−１より、ポストアンプ制御部１２ａ−１に対してＡＳＥ出力安定中止通知を送信する。
【００７１】
〔Ｓ３２〕ポストアンプ制御部１２ａ−１より、ＯＳＣ部１２ｂに対してＡＳＥ出力安定中止通知を出力する。
〔Ｓ３３〕ＯＳＣ部１２ｂは、ノード２０−１内のＯＳＣ部２６ｂに対してＡＳＥ出力安定中止通知を送信する。ＡＳＥ出力安定中止の旨を含むＯＳＣ信号の流れは、ＯＳＣ部１２ｂ→カプラＣ１→ＷＤＭシャッタ１３−１→光ファイバＦ１→カプラＣ２→カプラＣ３→ＯＳＣ部２６ｂである。
【００７２】
〔Ｓ３４〕ＯＳＣ部２６ｂは、ＡＳＥ出力安定中止通知をスイッチ制御部２４ａ−１に送信する。
〔Ｓ３５〕スイッチ制御部２４ａ−１より、光スイッチ２３ａ−１、２３ｂ−１に対して通過ルートＲ２となるようなスイッチ切り替え指示を出力する。
【００７３】
以上説明したように、ＡＳＥモードではＡＳＥ光がＶＩＰＡ２２に入力しない回避ルートＲ１を選択し、通常の運用モードではＷＤＭ信号がＶＩＰＡ２２に入力して分散補償される通過ルートＲ２を選択するようなスイッチ切り替え制御を行う構成とした。これにより、プリアンプ２１のゲイン設定に悪影響を及ぼさずに、ＡＳＥ光を用いてのシステム立ち上げを高品質に行うことができ、またＡＳＥモードでプリアンプ２１を立ち上げるシステムにおいても、ＶＩＰＡ２２を使用した高精度の分散補償を行うことが可能になる。
【００７４】
次に第２の実施の形態の光伝送システムについて説明する。第１の実施の形態では、ノード１０−１から送信されたＯＳＣ信号から、動作モードを認識してスイッチ切り替えを行ったが、第２の実施の形態では、対向ノードからの外部トリガを用いず、自ノード内で入力光レベルのしきい値比較を行ってＡＳＥモード／運用モードを認識し、スイッチ切り替えを行うものである。
【００７５】
図９はスイッチ切り替えに関連する構成要素を示す図である。ノード１０は、ポストアンプ１１、制御部１２０、カプラＣ１を含む。ノード２０−２は、プリアンプ２１、ＶＩＰＡ２２、光スイッチ２３ａ、２３ｂ、スイッチ制御部２４ｂ、ＶＡＴＴ２５、制御部２６０、光レベル検出部（以下、ＰＤ（phot diode）１、ＰＤ２とする）を含む。
【００７６】
ＰＤ１は、ＶＩＰＡ２２の入力側光レベルを検出し、ＰＤ２は、ＶＩＰＡ２２の出力側の光レベルを検出して、それぞれの検出結果はスイッチ制御部２４ｂへ送信される。
スイッチ制御部２４ｂは、光レベル検出結果から、１波のＷＤＭ信号（以下、１波ＷＤＭ信号と呼ぶ）が入力したときのＰＤ２での受信レベルと、ＡＳＥ光が入力したときのＰＤ２での受信レベルとを推定し（いずれの場合もＶＩＰＡ２２を通過した際の受信レベル）、推定値からしきい値を求めておく。そして、しきい値と、システム動作時のＰＤ２の受信レベルとを比較することで、動作モードを判別する。
【００７７】
次に具体的な数値を用いて動作について詳しく説明する。まず、スイッチ制御部２４ｂは、ＰＤ１での受信レベルから、何らかの光がノード２０−２に到達しているか否かを判断する。その場合には以下の式（１）を用いる。
【００７８】
ＰＤ１ｉｎ＜−４０ｄＢｍ  ・・・（１）
なお、ＰＤ１ｉｎは、ＰＤ１に入力される光レベル（ｄＢｍ）である（入力側光レベルの検出結果である）。式（１）が成立しているときは、ＰＤ１に光が入力されていない状態であり（ＩＮＤＯＷＮ状態と呼ばれる）、その後にポストアンプ１１はＡＳＥモードに遷移することになるので、回避ルートＲ１を通るようにスイッチ切り替えを行う。
【００７９】
次に１波ＷＤＭ信号とＡＳＥ光が、通過ルートＲ２を流れてＰＤ２に到達した際の受信レベルをそれぞれ推定しておく。１波ＷＤＭ信号のＰＤ２による受信レベルＬWDMの推定式は以下の式（２）となる。
【００８０】
ＬWDM＝ＰＤ１ｉｎAGC−ＰＤ１LOSS−（分岐ロス）―（カプラロス）−（ＶＩＰＡ透過波長ロスWDM）−（ＶＩＰＡロス）−Ｘ  ・・・（２）
また、ＡＳＥ光のＰＤ２による受信レベルＬASEの推定式は以下の式（３）となる。
【００８１】
ＬASE＝ＰＤ１ｉｎASE−ＰＤ１LOSS−（分岐ロス）―（カプラロス）−（ＶＩＰＡ透過波長ロスASE）−（ＶＩＰＡロス）−Ｘ  ・・・（３）
図１０はパラメータの内容を示す図である。式（２）、（３）に対し、ＰＤ１ｉｎAGCは、ポストアンプ１１が１波ＷＤＭ信号を出力したときのＰＤ１での受信レベル（ｄＢｍ）、ＰＤ１ｉｎASEは、ポストアンプ１１がＡＳＥ光を出力したときのＰＤ１での受信レベル（ｄＢ）である。
【００８２】
また、ＰＤ１LOSSは、ＰＤ１の光損失量（ｄＢ）、分岐ロスは、カプラＣ２で分岐されることによる光損失量（ｄＢ）、カプラロスは、カプラＣ２が持つ光損失量（ｄＢ）、ＶＩＰＡ透過波長ロスWDMは、ＶＩＰＡ２２の１波ＷＤＭ信号の透過波長に依存する光損失量（ｄＢ）、ＶＩＰＡ透過波長ロスASEは、ＶＩＰＡ２２のＡＳＥ光の透過波長に依存する光損失量（ｄＢ）、ＶＩＰＡロスは、ＶＩＰＡ２２が持つ光損失量（ｄＢ）である。
【００８３】
なお、ＰＤ１ｉｎAGCとＰＤ１ｉｎASEは、実質的には同じ値をとる。また、パラメータＸに関しては、このパラメータは、各種デバイスの個体差により光ロスが異なるため、しきい値を微調整するために用意しているものだが、説明する上では、すべてのデバイスに個体差による光ロスがない理想状態であるとして０とする。
【００８４】
ここで、各パラメータの値を図１０のようにした仮定すると、ポストアンプ１１が１波ＷＤＭ信号を出力している場合の式（２）は、ＬWDM＝１−０．５−３―０．５−１−０．５＝−４．５ｄＢｍとなる。
【００８５】
また、ポストアンプ１１がＡＳＥ光を出力している場合の式（３）は、ＬASE＝１−０．５−３―０．５−５−０．５＝−８．５ｄＢｍとなる。したがって、−４．５ｄＢｍと−８．５ｄＢｍの中間値をとって、しきい値を−６．５ｄＢｍと設定しておく。
【００８６】
スイッチ制御部２４ｂでは、式（１）が成り立たず（スイッチングは通過ルートＲ２となっている）、かつＰＤ２の受信レベルがしきい値（−６．５ｄＢｍ）を下回れば、ポストアンプ１１はＡＳＥ光を送出しているものと見なして、回避ルートＲ１へのスイッチ切り替えを行う。また、式（１）が成り立たず、かつＰＤ２の受信レベルがしきい値（−６．５ｄＢｍ）を上回れば、ポストアンプ１１は１波ＷＤＭ信号を送出しているものと見なして、通過ルートＲ２へのスイッチ切り替えを行う。
【００８７】
次に第３の実施の形態について説明する。第３の実施の形態では、入力光の受信レベルの代わりに入力光の光スペクトルを測定して、外部トリガを用いずに、ＡＳＥモード／運用モードを認識し、スイッチ切り替えを行うものである。
【００８８】
図１１はスイッチ切り替えに関連する構成要素を示す図である。ノード２０−３は、プリアンプ２１、ＶＩＰＡ２２、光スイッチ２３ａ、２３ｂ、スイッチ制御部２４ｃ、ＶＡＴＴ２５、制御部２６０、スペクトル検出部２７を含む。
【００８９】
スペクトル検出部２７は、ポストアンプ１１から出力された光信号を受信し、光スペクトルを検出して、受信光がＩＮＤＯＷＮ状態、ＡＳＥ光出力状態、ＷＤＭ光出力状態のうちでどの状態であるかをスイッチ制御部２４ｃに通知する。
【００９０】
スイッチ制御部２４ｃでは、ＩＮＤＯＷＮ状態とＡＳＥ光出力状態のときは、回避ルートＲ１を選択し、ＷＤＭ光出力状態のときは、通過ルートＲ２を選択するようにスイッチ制御を行う。
【００９１】
（付記１）  光信号の伝送を行う光伝送システムにおいて、
アンプ立ち上げモードでは雑音光を光ファイバ上へ出力し、運用モードでは光信号を増幅して光ファイバ上へ出力するポストアンプと、前記ポストアンプの動作状態を監視制御信号により通知する動作状態通知部と、から構成される第１のノードと、
アンプ立ち上げモード時には、前記雑音光を受信してゲイン設定を行い、運用モード時には、前記光信号を受信して増幅するプリアンプと、前記プリアンプの前段に設けられ、前記光信号が光ファイバを伝播することにより生じる波長分散の分散補償を可変的に行う可変分散補償器と、前記雑音光が前記可変分散補償器を通過した場合に前記雑音光のレベルが所望レベルから変動してしまう場合には、スイッチ切り替え指示にもとづいて、アンプ立ち上げモードでは、前記雑音光は前記可変分散補償器へ入力せずに前記プリアンプへ入力する回避ルートを選択し、運用モードでは、前記光信号は前記可変分散補償器に入力して分散補償された後に前記プリアンプへ入力する通過ルートを選択するようにスイッチングを行うスイッチ部と、前記監視制御信号によりアンプ立ち上げモードを認識した際は、前記回避ルートを選択するための前記スイッチ切り替え指示を出力し、運用モード時には、前記通過ルートを選択するための前記スイッチ切り替え指示を出力するスイッチ制御部と、から構成される第２のノードと、
を有することを特徴とする光伝送システム。
【００９２】
（付記２）  前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする付記１記載の光伝送システム。
【００９３】
（付記３）  光信号の伝送を行う光伝送装置において、
アンプ立ち上げモード時には、前段ノードのポストアンプから出力された雑音光を受信してゲイン設定を行い、運用モード時には、前記ポストアンプから出力された光信号を受信して増幅するプリアンプと、
前記プリアンプの前段に設けられ、前記光信号が光ファイバを伝播することにより生じる波長分散の分散補償を可変的に行う可変分散補償器と、
前記雑音光が前記可変分散補償器を通過した場合に前記雑音光のレベルが所望レベルから変動してしまう場合には、スイッチ切り替え指示にもとづいて、アンプ立ち上げモードでは、前記雑音光は前記可変分散補償器へ入力せずに前記プリアンプへ入力する回避ルートを選択し、運用モードでは、前記光信号は前記可変分散補償器に入力して分散補償された後に前記プリアンプへ入力する通過ルートを選択するようにスイッチングを行うスイッチ部と、
前記前段ノードから送信された、前記ポストアンプの動作状態を示す監視制御信号によりアンプ立ち上げモードを認識した際は、前記回避ルートを選択するための前記スイッチ切り替え指示を出力し、運用モード時には、前記通過ルートを選択するための前記スイッチ切り替え指示を出力するスイッチ制御部と、
を有することを特徴とする光伝送装置。
【００９４】
（付記４）  前記回避ルート上に光減衰器を設置して、前記可変分散補償器の個体差による光損失量のばらつきを吸収し、１波の光信号が前記通過ルートを流れたときの前記プリアンプの受信レベルと、前記雑音光が前記回避ルートを流れたときの前記プリアンプの受信レベルとを等しくすることを特徴とする付記３記載の光伝送装置。
【００９５】
（付記５）  光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側と出力側の光レベルを検出する光レベル検出部と、前記雑音光が前記可変分散補償器を通過した場合に前記雑音光のレベルが所望レベルから変動してしまう場合には、スイッチ切り替え指示にもとづいて、アンプ立ち上げモードでは、雑音光は前記可変分散補償器へ入力せずに前記プリアンプへ入力するルートを選択し、運用モードでは、光信号は前記可変分散補償器に入力して分散補償された後に前記プリアンプへ入力するルートを選択するようにスイッチングを行うスイッチ部と、前記ポストアンプから出力される１波の前記光信号及び前記雑音光のそれぞれの受信レベルを、前記光レベルから推定してしきい値を求め、前記しきい値にもとづいて、アンプ立ち上げモードまたは運用モードを認識して、各モードに対応する前記スイッチ切り替え指示を出力するスイッチ制御部と、から構成される第２のノードと、
を有することを特徴とする光伝送システム。
【００９６】
（付記６）  前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする付記５記載の光伝送システム。
【００９７】
（付記７）  光信号の伝送を行う光伝送装置において、
アンプ立ち上げモード時には、前段ノードのポストアンプから出力された雑音光を受信してゲイン設定を行い、運用モード時には、前記ポストアンプから出力された光信号を受信して増幅するプリアンプと、
前記プリアンプの前段に設けられ、前記光信号が光ファイバを伝播することにより生じる波長分散の分散補償を可変的に行う可変分散補償器と、
前記可変分散補償器の入力側と出力側の光レベルを検出する光レベル検出部と、
前記雑音光が前記可変分散補償器を通過した場合に前記雑音光のレベルが所望レベルから変動してしまう場合には、スイッチ切り替え指示にもとづいて、アンプ立ち上げモードでは、前記雑音光は前記可変分散補償器へ入力せずに前記プリアンプへ入力する回避ルートを選択し、運用モードでは、前記光信号は前記可変分散補償器に入力して分散補償された後に前記プリアンプへ入力する通過ルートを選択するようにスイッチングを行うスイッチ部と、
前記ポストアンプから出力される１波の前記光信号及び前記雑音光のそれぞれの受信レベルを、前記光レベルから推定してしきい値を求め、前記しきい値にもとづいて、アンプ立ち上げモードまたは運用モードを認識して、各モードに対応する前記スイッチ切り替え指示を出力するスイッチ制御部と、
を有することを特徴とする光伝送装置。
【００９８】
（付記８）  前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする付記７記載の光伝送装置。
【００９９】
（付記９）  光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側で光スペクトルの検出を行うスペクトル検出部と、前記雑音光が前記可変分散補償器を通過した場合に前記雑音光のレベルが所望レベルから変動してしまう場合には、スイッチ切り替え信号にもとづいて、アンプ立ち上げモードでは、雑音光は前記可変分散補償器へ入力せずに前記プリアンプへ入力するルートを選択し、運用モードでは、光信号は前記可変分散補償器に入力して分散補償された後に前記プリアンプへ入力するルートを選択するようにスイッチングを行うスイッチ部と、前記光スペクトルにもとづき、アンプ立ち上げモードまたは運用モードを認識して、各モードに対応する前記スイッチ切り替え信号を出力するスイッチ制御部と、から構成される第２のノードと、
を有することを特徴とする光伝送システム。
【０１００】
（付記１０）  前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする付記９記載の光伝送システム。
【０１０１】
（付記１１）  光信号の伝送を行う光伝送装置において、
アンプ立ち上げモード時には、前段ノードのポストアンプから出力された雑音光を受信してゲイン設定を行い、運用モード時には、前記ポストアンプから出力された光信号を受信して増幅するプリアンプと、
前記プリアンプの前段に設けられ、前記光信号が光ファイバを伝播することにより生じる波長分散の分散補償を可変的に行う可変分散補償器と、
前記可変分散補償器の入力側で光スペクトルの検出を行うスペクトル検出部と、
前記雑音光が前記可変分散補償器を通過した場合に前記雑音光のレベルが所望レベルから変動してしまう場合には、スイッチ切り替え指示にもとづいて、アンプ立ち上げモードでは、前記雑音光は前記可変分散補償器へ入力せずに前記プリアンプへ入力する回避ルートを選択し、運用モードでは、前記光信号は前記可変分散補償器に入力して分散補償された後に前記プリアンプへ入力する通過ルートを選択するようにスイッチングを行うスイッチ部と、
前記光スペクトルにもとづき、アンプ立ち上げモードまたは運用モードを認識して、各モードに対応する前記スイッチ切り替え信号を出力するスイッチ制御部と、
を有することを特徴とする光伝送装置。
【０１０２】
（付記１２）  前記回避ルート上に光減衰器を設置して、前記可変分散補償器で生じる光損失量のばらつきを吸収し、１波の前記光信号が前記通過ルートを流れたときの前記プリアンプの受信レベルと、前記雑音光が前記回避ルートを流れたときの前記プリアンプの受信レベルとを等しくすることを特徴とする付記１１記載の光伝送装置。
【図面の簡単な説明】
【０１０３】
【図１】光伝送システムの原理図である。
【図２】スイッチ切り替えに関連する構成要素を示す図である。
【図３】アンプ立ち上げモードのときの動作を示すシーケンス図である。
【図４】運用モードのときの動作を示すシーケンス図である。
【図５】光伝送システムの構成を示す図である。
【図６】光伝送システムの構成を示す図である。
【図７】光伝送システムの動作を示すシーケンス図である。
【図８】光伝送システムの動作を示すシーケンス図である。
【図９】スイッチ切り替えに関連する構成要素を示す図である。
【図１０】パラメータの内容を示す図である。
【図１１】スイッチ切り替えに関連する構成要素を示す図である。
【図１２】ＤＣＦによる分散補償を行うＷＤＭシステムの概念図である。
【図１３】ＶＩＰＡによる分散補償を行うＷＤＭシステムの概念図である。
【図１４】ＷＤＭ信号の１波の光レベル及びＡＳＥ光レベルを示す図である。
【図１５】ＶＩＰＡ通過後のＡＳＥ光のレベルを示す概念図である。
【符号の説明】
【０１０４】
１−１  光伝送システム
１０−１、２０−１  ノード
１１  ポストアンプ
１２  動作状態通知部
２１  プリアンプ
２２  可変分散補償器
２３  スイッチ部
２４ａ  スイッチ制御部
Ｆ  光ファイバ
Ｒ１  回避ルート
Ｒ２  通過ルート
【図１】
2006229698.tif 000003
【図２】
2006229698.tif 000004
【図３】
2006229698.tif 000005
【図４】
2006229698.tif 000006
【図５】
2006229698.tif 000007
【図６】
2006229698.tif 000008
【図７】
2006229698.tif 000009
【図８】
2006229698.tif 000010
【図９】
2006229698.tif 000011
【図１０】
2006229698.tif 000012
【図１１】
2006229698.tif 000013
【図１２】
2006229698.tif 000014
【図１３】
2006229698.tif 000015
【図１４】
2006229698.tif 000016
【図１５】
2006229698.tif 000017
【手続補正書】
【提出日】平成17年7月20日(2005.7.20)
【手続補正１】
【補正対象書類名】特許請求の範囲
【補正対象項目名】請求項３
【補正方法】変更
【補正の内容】
【請求項３】
光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側と出力側の光レベルを検出する光レベル検出部と、前記雑音光が前記可変分散補償器を通過した場合に前記雑音光のレベルが所望レベルから変動してしまう場合には、スイッチ切り替え指示にもとづいて、アンプ立ち上げモードでは、雑音光は前記可変分散補償器へ入力せずに前記プリアンプへ入力する回避ルートを選択し、運用モードでは、光信号は前記可変分散補償器に入力して分散補償された後に前記プリアンプへ入力する通過ルートを選択するようにスイッチングを行うスイッチ部と、前記ポストアンプから出力される１波の前記光信号及び前記雑音光のそれぞれの受信レベルを、前記光レベルから推定してしきい値を求め、前記しきい値にもとづいて、アンプ立ち上げモードまたは運用モードを認識して、各モードに対応する前記スイッチ切り替え指示を出力するスイッチ制御部と、から構成される第２のノードと、
を有することを特徴とする光伝送システム。
【手続補正２】
【補正対象書類名】特許請求の範囲
【補正対象項目名】請求項５
【補正方法】変更
【補正の内容】
【請求項５】
光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側で光スペクトルの検出を行うスペクトル検出部と、前記雑音光が前記可変分散補償器を通過した場合に前記雑音光のレベルが所望レベルから変動してしまう場合には、スイッチ切り替え信号にもとづいて、アンプ立ち上げモードでは、雑音光は前記可変分散補償器へ入力せずに前記プリアンプへ入力する回避ルートを選択し、運用モードでは、光信号は前記可変分散補償器に入力して分散補償された後に前記プリアンプへ入力する通過ルートを選択するようにスイッチングを行うスイッチ部と、前記光スペクトルにもとづき、アンプ立ち上げモードまたは運用モードを認識して、各モードに対応する前記スイッチ切り替え信号を出力するスイッチ制御部と、から構成される第２のノードと、
を有することを特徴とする光伝送システム。
【手続補正３】
【補正対象書類名】明細書
【補正対象項目名】００１４
【補正方法】変更
【補正の内容】
【００１４】
光ファイバを伝播することにより生じる波長分散の分散補償技術として、ＶＩＰＡを用いた分散補償が提案されている（例えば、特許文献１）。
【特許文献１】特表２０００−５１１６５５号公報（第２９頁〜第３２頁，第１４図）
【手続補正４】
【補正対象書類名】明細書
【補正対象項目名】００４２
【補正方法】変更
【補正の内容】
【００４２】
図２はスイッチ切り替えに関連する構成要素を示す図である。ノード１０−１は、ポストアンプ１１、制御部１２０−１（動作状態通知部１２を含む）、カプラＣ１を含む。ノード２０−１は、プリアンプ２１、ＶＩＰＡ２２、光スイッチ２３ａ、２３ｂ（スイッチ部２３に該当）、スイッチ制御部２４ａ、ＶＡＴＴ（可変光減衰器）２５、制御部２６０−１、カプラＣ２及びカプラＣ３を含む。
【手続補正５】
【補正対象書類名】明細書
【補正対象項目名】００８１
【補正方法】変更
【補正の内容】
【００８１】
ＬASE＝ＰＤ１ｉｎASE−ＰＤ１LOSS−（分岐ロス）―（カプラロス）−（ＶＩＰＡ透過波長ロスASE）−（ＶＩＰＡロス）−Ｘ  ・・・（３）
図１０はパラメータの内容を示す図である。式（２）、（３）に対し、ＰＤ１ｉｎAGCは、ポストアンプ１１が１波ＷＤＭ信号を出力したときのＰＤ１での受信レベル（ｄＢｍ）、ＰＤ１ｉｎASEは、ポストアンプ１１がＡＳＥ光を出力したときのＰＤ１での受信レベル（ｄＢｍ）である。
【手続補正６】
【補正対象書類名】明細書
【補正対象項目名】００９５
【補正方法】変更
【補正の内容】
【００９５】
（付記５）  光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側と出力側の光レベルを検出する光レベル検出部と、前記雑音光が前記可変分散補償器を通過した場合に前記雑音光のレベルが所望レベルから変動してしまう場合には、スイッチ切り替え指示にもとづいて、アンプ立ち上げモードでは、雑音光は前記可変分散補償器へ入力せずに前記プリアンプへ入力する回避ルートを選択し、運用モードでは、光信号は前記可変分散補償器に入力して分散補償された後に前記プリアンプへ入力する通過ルートを選択するようにスイッチングを行うスイッチ部と、前記ポストアンプから出力される１波の前記光信号及び前記雑音光のそれぞれの受信レベルを、前記光レベルから推定してしきい値を求め、前記しきい値にもとづいて、アンプ立ち上げモードまたは運用モードを認識して、各モードに対応する前記スイッチ切り替え指示を出力するスイッチ制御部と、から構成される第２のノードと、
を有することを特徴とする光伝送システム。
【手続補正７】
【補正対象書類名】明細書
【補正対象項目名】００９９
【補正方法】変更
【補正の内容】
【００９９】
（付記９）  光信号の伝送を行う光伝送システムにおいて、
アンプ立ち上げモードでは雑音光を光ファイバ上へ出力し、運用モードでは光信号を増幅して光ファイバ上へ出力するポストアンプを含む第１のノードと、
アンプ立ち上げモード時には、雑音光を受信してゲイン設定を行い、運用モード時には、光信号を受信して増幅するプリアンプと、前記プリアンプの前段に設けられ、光信号が光ファイバを伝播することにより生じる波長分散の分散補償を可変的に行う可変分散補償器と、前記可変分散補償器の入力側で光スペクトルの検出を行うスペクトル検出部と、前記雑音光が前記可変分散補償器を通過した場合に前記雑音光のレベルが所望レベルから変動してしまう場合には、スイッチ切り替え信号にもとづいて、アンプ立ち上げモードでは、雑音光は前記可変分散補償器へ入力せずに前記プリアンプへ入力する回避ルートを選択し、運用モードでは、光信号は前記可変分散補償器に入力して分散補償された後に前記プリアンプへ入力する通過ルートを選択するようにスイッチングを行うスイッチ部と、前記光スペクトルにもとづき、アンプ立ち上げモードまたは運用モードを認識して、各モードに対応する前記スイッチ切り替え信号を出力するスイッチ制御部と、から構成される第２のノードと、
を有することを特徴とする光伝送システム。
【手続補正８】
【補正対象書類名】図面
【補正対象項目名】図１０
【補正方法】変更
【補正の内容】
【図１０】
2006229698.tif 000018